Podtech/llm-jp-corpus-v4-ja_patent huggingface dataset:
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
【化１】
2020531281.tif 000001
式中、
Ｒ1bは、−Ｈ、アルキル、アリール、アルキル置換アリール、またはアリール置換アルキルであり、
ｘは、２１〜４５３の整数である、式（Ｖ）の界面活性剤。
【請求項２】
ｘは、２１〜２００である、請求項１に記載の界面活性剤。
【請求項３】
Ｒ1bが、メチル、エチル、１−メチルエチル、プロピル、ブチル、１，１−ジメチルエチル、ペンチル、ヘキシル、ヘプチル、オクチル、ノニル、デシル、ウンデシル、デュオデシルから選択される線状または分岐（Ｃ1−Ｃ12）アルキルである、請求項１に記載の界面活性剤。
【請求項４】
Ｒ1bが、ラジカル−ＣＨ2ＣＯＯＨであり、前記界面活性剤が、式（ＶＩ）による構造を有し、
【化２】
2020531281.tif 000002
式中、ｘは、式（Ｖ）で定義される、請求項１に記載の界面活性剤。
【請求項５】
ｘは、３０〜４０である、請求項１に記載の界面活性剤。
【手続補正２】
【補正対象書類名】明細書
【補正対象項目名】００９９
【補正方法】変更
【補正の内容】
【００９９】
第３の態様では、本開示は、Ｒ1bが、メチル、エチル、１−メチルエチル、プロピル、ブチル、１，１−ジメチルエチル、ペンチル、ヘキシル、ヘプチル、オクチル、ノニル、デシル、ウンデシル、デュオデシルから選択される線状または分岐（Ｃ1−Ｃ12）アルキルである、第１の態様または第２の態様の界面活性剤を提供する。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
ユーザーが安着できるシートと、
前記シートを前方に起立させるシートティルトモジュールとが含まれ、
前記シートティルトモジュールには、
前記シートに取付けられ、前記シートを回転させる回転部と、
前記回転部の一側に離隔して設置され、前記シートの動きに対して動くことなく位置が固定される固定部と、
前記回転部と前記固定部との間に提供され、前記回転部が前記固定部に対して前方に起立可能に、前記回転部と前記固定部を連動させる４節リンクとが含まれ、
前記４節リンクには、
前記回転部の前側に一体で取付けられて前記回転部と一体で動く第１リンクと、
前記固定部の後側に一体固定されて動かない第２リンクと、
前記第１リンクと前記第２リンクにそれぞれヒンジ結合される第３リンクと、
前記第１リンクと前記第２リンクにそれぞれヒンジ結合され、前記第３リンクの下側に置かれる第４リンクとが含まれ、
前記第２リンクの下側と前記第１リンクの上側に両端が連結されて、前後方に傾斜するように延長される動力装置が含まれ、
前記動力装置の設置長さが変わることを許容できるように、前記動力装置のいずれか一端部が係止される少なくとも２つの係止部が提供される、起立補助椅子。
【請求項２】
前記回転部または前記固定部は板状に提供される、請求項１に記載の起立補助椅子。
【請求項３】
前記動力装置はガスシリンダーである、請求項１に記載の起立補助椅子。
【請求項４】
前記ガスシリンダーの設置角は２０〜６０度である、請求項３に記載の起立補助椅子。
【請求項５】
前記ガスシリンダーは、ストロークが４５ｍｍ以上に調節される、請求項３に記載の起立補助椅子。
【請求項６】
前記係止部はホールである、請求項１に記載の起立補助椅子。
【請求項７】
ユーザーが安着できるシートと、
前記シートを前方に起立させるシートティルトモジュールとが含まれ、
前記シートティルトモジュールには、
前記シートに取付けられ、前記シートを回転させる回転部と、
前記回転部の一側に離隔して設置され、前記シートの動きに対して動くことなく位置が固定される固定部と、
前記回転部と前記固定部との間に提供され、前記回転部が前記固定部に対して前方に起立可能に、前記回転部と前記固定部を連動させる４節リンクとが含まれ、
前記４節リンクには、
前記回転部の前側に一体で取付けられて前記回転部と一体で動く第１リンクと、
前記固定部の後側に一体固定されて動かない第２リンクと、
前記第１リンクと前記第２リンクにそれぞれヒンジ結合される第３リンク及び第４リンクとが含まれ、
前記第２リンクと前記第１リンクに両端が連結されるガスシリンダーが含まれ、
前記ガスシリンダーの一端が取付けられ、前記ガスシリンダーの設置角度を調節するために相互離隔して提供される少なくとも２つのホールが含まれる、起立補助椅子。
【手続補正書】
【提出日】令和2年2月17日(2020.2.17)
【手続補正１】
【補正対象書類名】明細書
【補正対象項目名】０００２
【補正方法】変更
【補正の内容】
【０００２】
本出願は、２０１７年８月２８日付けの韓国特許出願第１０−２０１７−０１０８９０１号に基づく優先権の利益を主張し、当該韓国特許出願の文献に開示された全ての内容は本明細書の一部として取り込まれる。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
−  吸引開口部（４）；上面（２ａ）、底面（２ｂ）および上面（２ａ）と底面（２ｂ）の間の連結縁部（２３）；を有する支持体（２）であって、前記連結縁部が前面（２３ａ）および前記前面（２３ａ）と反対側の後面（２３ｂ）を有している支持体（２）と；
−  前記上面（２ａ）の近傍で前記支持体（２）上に配設された１つ以上の加熱要素（３）と；
−  前記吸引開口部（４）と流体連通状態で連結されかつ前記加熱要素（３）の近傍で調理の煙を吸込むように構成されている吸引手段（５）であって、第１のフィルタ（１１）および第２のフィルタ（１２）を含む吸引手段（５）；
とを含む調理用レンジ（１）において、
−  前記第１のフィルタ（１１）が第１の座部（１３）を有し、前記第１の座部（１３）の中に第１のフィルタ要素（１４）を含み、前記第１の座部（１３）は前記第１のフィルタ要素（１４）の抜取りおよび／または挿入を可能にするために前記吸引開口部（４）を通してアクセス可能であり；
−  前記第１のフィルタ（１１）の下流側に位置設定された前記第２のフィルタ（１２）が、前記第１の座部（１３）とは別個の第２の座部（１５）を有し、前記第２の座部（１５）内に挿入され前記第１のフィルタ要素（１４）と比べて異なるタイプのものである複数の第２のフィルタ要素（１６）を含んでいる；
調理用レンジであって；
−  前記第２の座部（１５）が前記縁部（２３）の前記後面（２３ｂ）に位置設定され、前記第１の座部（１３）が前記吸引開口部と前記第２の座部（１５）の間に挿入されていること；
−  前記第２の座部（１５）が、前記第１の座部（１３）を通過して前記吸引開口部（４）を通る前記第２のフィルタ要素（１６）の抜取りおよび／または挿入を可能にするために前記第１の座部１３を通ってアクセス可能であること；
を特徴とする調理用レンジ。
【請求項２】
前記後面（２３ｂ）において前記吸引手段（５）の下流側に位置設定された排気ダクト（１０）を含み、前記第２の座部（１５）が前記排気ダクト（１０）内に形成され、前記排気ダクトが、前記第１の座部（１３）を前記第２の座部（１５）から分離する周壁（２０）を有すること、を特徴とする請求項１に記載の調理用レンジ（１）。
【請求項３】
前記第２の座部（１５）が前記第１の座部（１３）に面する引出し開口部（１７）を有し、前記引出し開口部（１７）が前記周壁（２０）上に画定されている、請求項２に記載の調理用レンジ（１）。
【請求項４】
前記引出し開口部（１７）と結び付けられ、かつ、前記支持体（２）から離れるかまたは前記支持体（２）に向かって摺動して前記引出し開口部（１７）を開放および／または閉鎖する、扉（１９）を含むこと、を特徴とする請求項１に記載の調理用レンジ（１）。
【請求項５】
前記第１の座部（１３）が、前記第２のフィルタ要素（１６）の通過を可能にするため前記引出し開口部（１７）に面する通路開口部（１８）を有する、請求項３に記載の調理用レンジ（１）。
【請求項６】
前記吸引開口部（４）を通って外部環境と流体連通状態にある吸引ダクト（６）を含み、前記座部（１３）が前記吸引ダクト（６）によって少なくとも部分的に画定されており、前記吸引ダクト（６）が、前記第１の座部（１３）に位置設定され前記支持体（２）の底面（２ｂ）から突出する側壁（７）を含み、前記通路開口部（１８）が前記側壁（７）の中に形成されていること、を特徴とする請求項１に記載の調理用レンジ（１）。
【請求項７】
前記第１の座部（１３）が、前記通路開口部（１８）を開閉するために、前記通路開口部と結び付けられたカバー要素（２１）を含む、請求項５に記載の調理用レンジ（１）。
【請求項８】
前記カバー要素（２１）が、前記第１の座部（１３）の内部に向かって開放するために、前記通路開口部（１８）において前記側壁（７）に対してヒンジ留めされている、請求項１に記載の調理用レンジ（１）。
【請求項９】
ユーザが引出せるようにするための前記引出し開口部（１７）の前の部域内の前記第２の座部（１５）の中に前記第２のフィルタ要素（１６）を押込むように構成された前記第２のフィルタ要素（１６）を抜取るための抜取り手段を含むこと、を特徴とする請求項３に記載の調理用レンジ（１）。
【請求項１０】
前記抜取り手段が前記第２の座部（１５）の中に少なくとも部分的に挿入されている、請求項１に記載の調理用レンジ（１）。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
焦点の合っていない顕微鏡画像を検出するためにコンピュータを用いて行われる方法であって、
細胞を描出する複数の顕微鏡画像を取得するステップと、
前記複数の顕微鏡画像から１つまたは複数のピクセルの組を抽出するステップであって、この際、前記ピクセルの組のそれぞれが独立した細胞に対応するステップと、
前記独立した細胞の焦点が合っている度合いを示す、複数の画像品質ラベルのうちの１つを、前記ピクセルの組のそれぞれに割り当てるステップと、
前記ピクセルの組を前記複数の画像品質ラベルに分類するために分類器を訓練するステップであって、この際、前記分類器は多層構造に従って構成され、前記訓練の結果として前記多層構造中の層を接続するための複数の重み付けを決定するステップと、
前記多層構造、前記複数の重み付け、および前記複数の画像品質ラベルに基づいて、前記分類器の配備を作成するステップ、とを有する方法。
【請求項２】
前記分類器が、コンボリューショナル・ニューラル・ネットワークである、請求項１に記載の方法。
【請求項３】
前記顕微鏡画像が、合成画像であって、
ディープ・コンボリューショナル敵対的生成ネットワーク（ＤＣＧＡＮ）を使用して、前記画像の組の訓練に基づいて複数の異なる焦点で前記合成画像を生成する、請求項１に記載の方法。
【請求項４】
前記複数の顕微鏡画像ら前記１つまたは複数のピクセルの組を抽出する際、
前記複数の顕微鏡画像を平均化して、平均画像を生成し、
前記複数の顕微鏡画像から前記平均画像を差し引いて、複数の変換された顕微鏡画像を生成し、
前記複数の変換された顕微鏡画像に対して適応性のある閾値設定を適用して、複数の閾値設定された顕微鏡画像を生成し、
前記複数の閾値設定された顕微鏡画像に対して１つまたは複数の除外基準を適用して、非細胞成分に対応する前記複数の閾値設定された顕微鏡画像から１つまたは複数のピクセルの組を除外し、
前記除外基準の適用後、前記複数の閾値設定された顕微鏡画像に対して接続成分の分析を適用して、独立した細胞に対応する前記１つまたは複数のピクセルの組を識別し、
前記複数の閾値設定された顕微鏡画像から前記１つまたは複数のピクセルの組を切り取る、
各ステップを用いる、請求項１に記載の方法。
【請求項５】
前記除外基準が、前記複数の閾値設定された顕微鏡画像中の非細胞成分の、幅、高さ、アスペクト比、および円形度の内の１つまたは複数を含む、請求項４に記載の方法。
【請求項６】
前記複数の顕微鏡画像から前記１つまたは複数のピクセルの組を抽出する際、
前記複数の顕微鏡画像中の前記ピクセルの組を識別するために１つまたは複数のマシーン・ラーニング・モデルを適用し、
前記複数の顕微鏡画像から前記１つまたは複数のピクセルの組を切り取る、
各ステップを用いる、請求項１に記載の方法。
【請求項７】
前記マシーン・ラーニング・モデルが、確率的ブースティング・ツリー・モデルおよびディープ・コンボリューショナル・ニューラル・ネットワークの１つまたは複数を含む、請求項６に記載の方法。
【請求項８】
分類器の配備は、（ｉ）多層構造、（ｉｉ）複数の重み付け、（ｉｉｉ）複数の画像品質ラベルを記述する１つまたは複数のファイルを含む、請求項１に記載の方法。
【請求項９】
前記複数の顕微鏡画像が、ホログラフィック顕微鏡（ＤＨＭ）画像である、請求項１に記載の方法。
【請求項１０】
複数の画像品質ラベルが、焦点の合っている画像または焦点の合っていない画像をそれぞれ示す２つの値から構成される、請求項１に記載の方法。
【請求項１１】
前記複数の画像品質ラベルが、最も悪い画像の品質を示す最小値と最も良い画像の品質を示す最大値との間で２つ以上の値からなる範囲を含む、請求項１に記載の方法。
【請求項１２】
顕微鏡装置の適応性のある焦点合わせをコンピュータを用いて行う方法であって、
顕微鏡装置を用いて細胞を描出する複数の顕微鏡画像の取得するステップと、
前記複数の顕微鏡画像から１つまたは複数のピクセルの組を抽出するステップであって、この際、前記ピクセルの組のそれぞれが独立した細胞に対応するステップと、
訓練された分類器を用いて、独立した細胞の焦点が合っている程度を示す、複数の画像品質ラベルのうちの１つを、前記ピクセルの組のそれぞれに割り当てるステップと、
前記ピクセルの組に対応する前記画像品質ラベルが、細胞の焦点が合っていないことを示す場合、訓練されたマシーン・ラーニング・モデルを用いて、前記顕微鏡装置の焦点を調整するために焦点距離調整を決定するステップと、
前記焦点距離調整を行うために、前記顕微鏡装置に実行可能命令を送るステップ、とを有する方法。
【請求項１３】
（ｉ）訓練画像の組、（ｉｉ）焦点の品質のラベル、および（ｉｉｉ）各訓練画像の取得に用いられる焦点距離の指標を用いて、前記マシーン・ラーニング・モデルが訓練される、請求項１２に記載の方法。
【請求項１４】
前記訓練された分類器が、コンボリューショナル・ニューラル・ネットワークである、請求項１２に記載の方法。
【請求項１５】
前記顕微鏡装置が、ホログラフィック顕微鏡（ＤＨＭ）である、請求項１２に記載の方法。
【請求項１６】
前記複数の画像品質ラベルが、焦点の合っている画像または焦点の合っていない画像をそれぞれ示す２つの値から構成される、請求項１２に記載の方法。
【請求項１７】
複数の画像の品質ラベルが、最も悪い画像の品質を示す最小値と、最も良い画像の品質を示す最大値との間で２つ以上の値からなる範囲を含む、請求項１２に記載の方法。
【請求項１８】
顕微鏡装置の適応性のある焦点合わせを行うシステムであって、
細胞を描出する複数の顕微鏡画像を取得するように構成された顕微鏡装置と、
命令を実行する１つまたは複数のプロセッサとを含み、この際、前記命令によって行われる方法は、
前記複数の顕微鏡画像から１つまたは複数のピクセルの組を抽出するステップであって、この際、前記ピクセルの組のそれぞれは独立した細胞に対応するステップと、
訓練された分類器を用いて、独立した細胞の焦点が合っている度合いを示す、複数の画像品質ラベルのうちの１つを、前記ピクセルの組のそれぞれに割り当てるステップと、
前記ピクセルの組に対応する前記画像品質ラベルが、細胞の焦点が合っていないことを示す場合、訓練されたマシーン・ラーニング・モデルを用いて、前記顕微鏡装置の焦点を調整するための焦点距離調整を決定するステップと、
前記焦点距離調整を行うために前記顕微鏡装置に実行可能命令を送るステップと、を含む、
システム。
【請求項１９】
前記１つまたは複数のプロセッサが、前記訓練された分類器の使用に関し動作を並行化する並列処理プラットフォームに含まれる、請求項１８に記載のシステム。
【請求項２０】
前記１つまたは複数のプロセッサが、前記複数のピクセルの組に対して並列に前記訓練された分類器を適用する、請求項１９に記載のシステム。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
粒状肥料コア；前記粒状肥料コアの表面に形成され、オレフィン系樹脂を含む被覆層；および前記被覆層上に付着され、ポリオキシエチレンアルキル（−アリール）エーテルを含む添加剤を含む、溶出制御型肥料。
【請求項２】
前記オレフィン系樹脂は、ポリオレフィンまたはオレフィンとエチレンビニルアセテート共重合体である、請求項１に記載の溶出制御型肥料。
【請求項３】
前記ポリオキシエチレンアルキル（−アリール）エーテル中の疎水基の分子量は、重量平均分子量として５０〜３００である、請求項１または２に記載の溶出制御型肥料。
【請求項４】
前記ポリオキシエチレンアルキル（−アリール）エーテル中の疎水基は、全体ポリオキシエチレンアルキル（−アリール）エーテルの重量に対して３０〜７０重量％で含まれる、請求項１から３のいずれか一項に記載の溶出制御型肥料。
【請求項５】
前記ポリオキシエチレンアルキル（−アリール）エーテル中の親水基は、全体ポリオキシエチレンアルキル（−アリール）エーテルの重量に対して３０〜７０重量％で含まれる、請求項１から４のいずれか一項に記載の溶出制御型肥料。
【請求項６】
前記ポリオキシエチレンアルキル（−アリール）エーテル中の親水基の分子量は、重量平均分子量として１００〜１０００である、請求項１から５のいずれか一項に記載の溶出制御型肥料。
【請求項７】
前記添加剤の投入量が、肥料の全体重量に対して０．００１重量％〜０．５重量％である、請求項１から６のいずれか一項に記載の溶出制御型肥料。
【請求項８】
前記添加剤は、無機粉体をさらに含む、請求項１から７のいずれか一項に記載の溶出制御型肥料。
【請求項９】
前記無機粉体は、比表面積が１００ｍ２／ｇ〜５００ｍ２／ｇである、請求項８に記載の溶出制御型肥料。
【請求項１０】
前記無機粉体は、粒度が１μｍ〜５００μｍである、請求項８または９に記載の溶出制御型肥料。
【請求項１１】
前記無機粉体は、ヒドロキシル基を有する親水性無機粉体である、請求項８から１０のいずれか一項に記載の溶出制御型肥料。
【請求項１２】
前記無機粉体は、肥料全体重量に対して０．０１重量％〜１重量％である、請求項８から１１のいずれか一項に記載の溶出制御型肥料。
【請求項１３】
ｉ）粒状肥料コアの表面をオレフィン系樹脂を含む被覆組成物で被覆して被覆層を形成する段階；および
ｉｉ）前記被覆層上をポリオキシエチレンアルキル（−アリール）エーテルを含む液状添加剤で被覆する段階を含む、溶出制御型肥料の製造方法。
【請求項１４】
前記段階ｉｉ）は、肥料全体重量に対して０．００１重量％〜０．５重量％の液状添加剤を投入する段階を含む、請求項１３に記載の溶出制御型肥料の製造方法。
【請求項１５】
前記段階ｉ）は、前記粒状肥料コアを被覆して皮を形成させる段階を含む、請求項１３に記載の溶出制御型肥料の製造方法。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
粒状肥料コア；前記粒状肥料コアの表面に形成され、オレフィン系樹脂を含む被覆層；および前記被覆層上に付着され、エチレンオキシド−プロピレンオキシド−エチレンオキシドトリ−ブロック共重合体またはプロピレンオキシド−エチレンオキシド−プロピレンオキシドトリ−ブロック共重合体を含む液体添加剤付着層を含む、溶出制御型肥料。
【請求項２】
前記オレフィン系樹脂は、ポリオレフィンまたはオレフィンとエチレンビニルアセテート共重合体である、請求項１に記載の溶出制御型肥料。
【請求項３】
前記エチレンオキシド−プロピレンオキシド−エチレンオキシドトリ−ブロック共重合体またはプロピレンオキシド−エチレンオキシド−プロピレンオキシドトリ−ブロック共重合体のＨＬＢ値は、１〜１０である、請求項１に記載の溶出制御型肥料。
【請求項４】
前記トリ−ブロック共重合体中のプロピレンオキシドブロックの分子量は、重量平均分子量として９５０〜４，０００である、請求項１に記載の溶出制御型肥料。
【請求項５】
前記トリ−ブロック共重合体中のプロピレンオキシドブロックが、全体トリ−ブロック共重合体の重量に対して５０〜９５重量％で含まれる、請求項１に記載の溶出制御型肥料。
【請求項６】
前記トリ−ブロック共重合体中のエチレンオキシドブロックの分子量は、重量平均分子量として５０〜２，０００である、請求項１に記載の溶出制御型肥料。
【請求項７】
前記トリ−ブロック共重合体中のエチレンオキシドブロックが、全体トリ−ブロック共重合体の重量に対して５〜５０重量％で含まれる、請求項１に記載の溶出制御型肥料。
【請求項８】
肥料の重量に対して０．０２５重量％〜０．５重量％の添加剤を含むものである、請求項１に記載の溶出制御型肥料。
【請求項９】
前記添加剤は、無機粉体をさらに含む、請求項１に記載の溶出制御型肥料。
【請求項１０】
前記無機粉体は、比表面積が１００ｍ２／ｇ〜５００ｍ２／ｇである、請求項９に記載の溶出制御型肥料。
【請求項１１】
前記無機粉体の粒度が１μｍ〜５００μｍである、請求項９に記載の溶出制御型肥料。
【請求項１２】
前記無機粉体は、ヒドロキシル基を有する親水性無機粉体である、請求項９に記載の溶出制御型肥料。
【請求項１３】
前記無機粉体は、肥料重量に対して０．０１重量％〜１重量％である、請求項９に記載の溶出制御型肥料。
【請求項１４】
ｉ）粒状肥料コアの表面をオレフィン系樹脂を含む被覆組成物で被覆して被覆層を形成する段階；および
ｉｉ）前記被覆層上をエチレンオキシド−プロピレンオキシド−エチレンオキシドトリ−ブロック共重合体またはプロピレンオキシド−エチレンオキシド−プロピレンオキシドトリ−ブロック共重合体を含む液体添加剤で被覆して添加剤付着層を形成する段階を含む、溶出制御型肥料の製造方法。
【請求項１５】
前記段階ｉｉ）は、肥料の重量に対して０．０２５重量％〜０．５重量％の液体添加剤を付加する段階を含む、請求項１４に記載の溶出制御型肥料の製造方法。
【請求項１６】
前記段階ｉ）は、粒状肥料コアを被覆層で被覆する皮を形成することを含む、請求項１４に記載の溶出制御型肥料の製造方法。
【請求項１７】
前記エチレンオキシド−プロピレンオキシド−エチレンオキシドまたはプロピレンオキシド−エチレンオキシド−プロピレンオキシドトリ−ブロック共重合体のＨＬＢ値は１〜５であり、前記プロピレンオキシドブロックの重量平均分子量が１５００〜４０００である、請求項１に記載の溶出制御型肥料。
【請求項１８】
前記プロピレンオキシドブロックは、全体トリ−ブロック共重合体の重量に対して５０〜９５重量％で含まれ、前記エチレンオキシドブロックの分子量は、重量平均分子量として５０〜２，０００である、請求項１７に記載の溶出制御型肥料。
【請求項１９】
前記エチレンオキシドブロックは、前記トリ−ブロック共重合全体重量に対して５〜５０重量％で含まれる、請求項１８に記載の溶出制御型肥料。
【請求項２０】
前記被覆層は粒状肥料を被覆する皮であり、前記添加剤は皮の表面に均一に付着されているものである、請求項１に記載の溶出制御型肥料。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
歯科用樹脂改質ガラスイオノマー組成物であって、前記組成物が、
（ａ）反応性微粒子状充填剤と、
（ｂ）セメント反応において、前記反応性微粒子状充填剤と反応するポリ酸ポリマーと、を含み、前記組成物がさらに一つ以上の開始剤化合物から成る開始剤系を含み、
前記一つ以上の開始剤化合物の少なくとも一つが、共有結合によってポリ酸ポリマー（ｂ）に連結され、共有結合性芳香族アミン開始剤化合物を有する開始剤修飾ポリ酸ポリマーを形成する芳香族アミンであり、
前記開始剤修飾ポリ酸ポリマーが、以下の式（Ｉ）であって、
【化１】
2020531493.tif 000001
式中、
Ｘは、同一でも異なっていてもよく、独立してＯＨ、Ｏ−Ｌ−Ｚ、またはＮＨ−Ｌ−Ｚを表し、式中、
Ｌは単結合または二価のリンカー基、および、
Ｚは共有結合性開始剤化合物であり、
Ｙは、水素原子、ＣＯＯＨ、または共有結合性開始剤化合物であり、
ｋ、ｌ、ｍ、ｎ、ｏおよびｐは、独立して少なくとも０の整数であり、
ｋ＋ｌ＋ｍ＋ｎ＋ｏ＋ｐは、少なくとも１であり、ならびに  
Ｙが水素原子またはＣＯＯＨであるときに、ＯＨではない少なくとも一つのＸが存在し、
前記ポリ酸ポリマーが１〜３００ｋＤａの重量平均分子量を有する、前記式（Ｉ）の繰り返し単位を有する化合物であり、
前記開始剤修飾ポリ酸ポリマーが、前記ポリ酸ポリマーの酸性基の１００モル％当たり、共有結合性開始剤化合物を０．０１〜２０モル％含有する、組成物。
【請求項２】
開始剤系が、４００〜８００ｎｍの範囲の波長を有する光で照射された時に、単独または組み合わせでフリーラジカルを生成する一つ以上の開始剤化合物から成る光開始剤系である、請求項１に記載の歯科用樹脂改質ガラスイオノマー組成物。
【請求項３】
前記開始剤系が、混合されたときにフリーラジカルを生成する二つ以上の開始剤化合物から成るレドックス開始剤系である、請求項１に記載の歯科用樹脂改質ガラスイオノマー組成物。
【請求項４】
前記ポリ酸性ポリマー（ｂ）が、ポリアクリル酸または、アクリル酸とイタコン酸との共重合体である、請求項１〜３のいずれか１項に記載の歯科用樹脂改質ガラスイオノマー組成物。
【請求項５】
前記光開始剤系が、増感剤成分および電子供与体成分を含むノリッシュＩＩ型光開始剤から成る、請求項１、２または４のうちの１項に記載の歯科用樹脂改質ガラスイオノマー組成物。
【請求項６】
前記共有結合性開始剤化合物ＹおよびＺが、以下の式（ＩＩ）であって、
【化２】
2020531493.tif 000002
式中、
Ｒ１およびＲ２は、
同一でも異なっていてもよく、独立してＣ１−６直鎖状、Ｃ３−６分岐状または環状アルキル基を表す、前記式（ＩＩ）の部分から相互に独立して選択される、請求項１に記載の歯科用樹脂改質ガラスイオノマー組成物。
【請求項７】
（ｃ）単一の重合性二重結合および、随意にカルボン酸基または水酸基を有する、水溶性で加水分解安定性のモノマー、ならびに／あるいは
（ｄ）少なくとも二つの重合性炭素−炭素二重結合を有する、水溶性で加水分解安定性の重合性架橋剤をさらに含む、請求項１〜６のいずれか１項に記載の歯科用樹脂改質ガラスイオノマー組成物。
【請求項８】
前記開始剤修飾ポリ酸ポリマーが、前記開始剤修飾ポリ酸ポリマーの酸性基の１００モル％あたり、共有結合性開始剤化合物を０．０５〜１０モル％含有する、請求項１〜７のいずれか１項に記載の歯科用樹脂改質ガラスイオノマー組成物。
【請求項９】
共有結合性芳香族アミン開始剤化合物を有する開始剤修飾ポリ酸ポリマーであって、前記開始剤修飾ポリ酸ポリマーが、前記開始剤修飾ポリ酸ポリマーの酸性基の１００モル％あたり、共有結合性開始剤化合物を０．０１〜２０モル％含有し、前記開始剤修飾ポリ酸ポリマーが、以下の式（Ｉ）であって、
【化３】
2020531493.tif 000003
式中、
Ｘは、同一でも異なっていてもよく、独立してＯＨ、Ｏ−Ｌ−Ｚ、またはＮＨ−Ｌ−Ｚを表し、式中、
Ｌは単結合または二価のリンカー基、および、
Ｚは共有結合性芳香族アミン開始剤化合物であり、
Ｙは、水素原子、ＣＯＯＨ、または共有結合性芳香族アミン開始剤化合物であり、
ｋ、ｌ、ｍ、ｎ、ｏおよびｐは、独立して少なくとも０の整数であり、
ｋ＋ｌ＋ｍ＋ｎ＋ｏ＋ｐは、少なくとも１であり、ならびに
Ｙが水素原子またはＣＯＯＨであるときに、ＯＨではない少なくとも一つのＸが存在し、
前記ポリ酸ポリマーが１〜３００ｋＤａの重量平均分子量を有する、前記式（Ｉ）の繰り返し単位を有する化合物である、開始剤修飾ポリ酸ポリマー。
【請求項１０】
前記共有結合性開始剤化合物ＹおよびＺが、以下の式（ＩＩ）であって、
【化４】
2020531493.tif 000004
式中、
Ｒ１およびＲ２は、
同一でも異なっていてもよく、独立してＣ１−６直鎖状、Ｃ３−６分岐状または環状アルキル基を表す、前記式（ＩＩ）の部分から相互に独立して選択される、請求項９に記載の開始剤修飾ポリ酸ポリマー。
【請求項１１】
歯科用組成物の調製のための、請求項９または１０に記載の開始剤修飾ポリ酸ポリマーの使用。
【手続補正２】
【補正対象書類名】明細書
【補正対象項目名】０００８
【補正方法】変更
【補正の内容】
【０００８】
第一の態様によると、本発明は、
（ａ）反応性微粒子状充填剤と、
（ｂ）セメント反応において反応性微粒子状充填剤と反応するポリ酸ポリマーと、を含む歯科用樹脂改質ガラスイオノマー組成物を提供することであって、この組成物がさらに一つ以上の開始剤化合物から成る開始剤系を含み
前記一つ以上の開始剤化合物の少なくとも一つが、共有結合によってポリ酸ポリマー（ｂ）に連結され、共有結合性芳香族アミン開始剤化合物を有する開始剤修飾ポリ酸ポリマーを形成する芳香族アミンであり、
この開始剤修飾ポリ酸ポリマーが以下の式（Ｉ）であって、
【化１】
2020531493.tif 000005
式中、
Ｘは、同一でも異なっていてもよく、独立してＯＨ、Ｏ−Ｌ−Ｚ、またはＮＨ−Ｌ−Ｚを表し、式中、
Ｌは単結合または二価のリンカー基、および、
Ｚは共有結合性開始剤化合物であり、
Ｙは水素原子、ＣＯＯＨ、または共有結合性開始剤化合物であり、
ｋ、ｌ、ｍ、ｎ、ｏおよびｐは、独立して少なくとも０の整数であり、
ｋ＋ｌ＋ｍ＋ｎ＋ｏ＋ｐは、少なくとも１であり、ならびに
Ｙが水素原子またはＣＯＯＨであるときに、ＯＨではない少なくとも一つのＸが存在し、
ポリ酸ポリマーが１〜３００ｋＤａの重量平均分子量を有する、式（Ｉ）の繰り返し単位を有する化合物であり、
開始剤修飾ポリ酸ポリマーが、ポリ酸ポリマーの酸性基の１００モル％当たり、共有結合性開始剤化合物を０．０１〜２０モル％含有する。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
トリシロキサンエトキシレート及びスルホこはく酸ジ−２−エチルヘキシルナトリウムからなることを特徴とする殺ダニ剤。
【請求項２】
トリシロキサンエトキシレート及びスルホこはく酸ジ−２−エチルヘキシルナトリウムの質量比は１：０．５〜２であることを特徴とする請求項１に記載の殺ダニ剤。
【請求項３】
トリシロキサンエトキシレート及びスルホこはく酸ジ−２−エチルヘキシルナトリウムの質量比は１：０．８〜１：１．２であることを特徴とする請求項１に記載の殺ダニ剤。
【請求項４】
請求項１ないし３のいずれかに記載の殺ダニ剤のダニ退治における適用。
【請求項５】
請求項１ないし３のいずれかに記載の殺ダニ剤の散布する肥料、農薬、植物成長調節剤及び除草剤における適用。
【誤訳訂正書】
【提出日】令和2年6月1日(2020.6.1)
【誤訳訂正１】
【訂正対象書類名】特許請求の範囲
【訂正対象項目名】全文
【訂正方法】変更
【訂正の内容】
【特許請求の範囲】
【請求項１】
マルチセグメントのロッドを製造するための装置であって、
ロッド様要素（Ｓ１、Ｓ２）をロッド様要素列（ＳＴ１）の形態で送達するフィーダー（２）と、
前記ロッド様要素列を包装材料（７）に包んで、それによって連続ロッド（ＣＲ）を形成するために、前記フィーダー（２）の下流に前記ロッド様要素列（ＳＴ１）の移動方向に位置する、包装装置（６）と、
軸方向に位置付けられたロッド様要素（Ｓ１、Ｓ２）の列（ＳＴ２）を形成するために、およびロッド様要素（Ｓ１、Ｓ２）を多数の搬送用ホイール（９、１０、１１）によって前記包装装置に移載するために、前記フィーダー（２）と前記包装ユニット（６）との間に配置された搬送ユニット（１）であって、前記ロッド様要素（Ｓ１、Ｓ２）が案内（２０、２１、２２）に沿って移載されるものと、
前記連続ロッド（ＣＲ）をロッド（Ｒ）に切断するために使用される切断手段（８）であって、それぞれが一組のロッド様要素（Ｓ１、Ｓ２）を持ち、
前記ロッド様要素（Ｓ１、Ｓ２）を前記包装装置（６）に搬送する前記搬送ユニット（１）の最後の前記搬送用ホイール（１１）が、何らの突起も有しない滑らかな周辺表面（１１Ａ）を有するホイールであり、
前記搬送ユニット（１）の前記搬送用ホイール（９、１０、１１）および前記案内（２０、２１、２２）が、前記ロッド様要素（Ｓ１、Ｓ２）と前記ホイール（９、１０、１１）の前記周辺表面（９Ａ、１０Ａ、１１Ａ）との間の摩擦係数が、前記ロッド様要素（Ｓ１、Ｓ２）と前記案内（２０、２１、２２）の前記案内表面との間の摩擦係数よりも小さくなるように、前記搬送されるロッド様要素（Ｓ１、Ｓ２）の前記外側被覆が作製される材料に応じて選択される材料で作製されるという点で特徴付けられるものとを備えた、装置。
【請求項２】
最後の前記搬送用ホイール（１１）が、小さくした直径を有するという点で特徴付けられる、請求項１に記載の装置。
【請求項３】
前記滑らかな周辺表面を有するホイール（１１）が、前記搬送ユニット（１）のその他のホイールよりも小さな直径を持つという点で特徴付けられる、請求項１又は２に記載の装置。
【請求項４】
前記たばこ産業においてロッド様要素（Ｓ１、Ｓ２）の列を移載するための、ロッド様要素列（ＳＴ１）を受けるための入口と、多数の搬送用ホイール（９、１０、１１）と、前記ロッド様要素（Ｓ１、Ｓ２）を案内するための多数の案内（２０、２１、２２）と、前記ロッド様要素列を移載するための出口とを持つ搬送ユニットであって、前記搬送ユニット（１）の最後の前記搬送用ホイール（１１）が、何らの突起も有しない滑らかな周辺表面（１１Ａ）を有するホイールであり、
前記搬送ユニット（１）の前記搬送用ホイール（９、１０、１１）および前記案内（２０、２１、２２）が、前記ロッド様要素（Ｓ１、Ｓ２）と前記ホイール（９、１０、１１）の前記周辺表面（９Ａ、１０Ａ、１１Ａ）との間の摩擦係数が、前記ロッド様要素（Ｓ１、Ｓ２）と前記案内（２０、２１、２２）の前記案内表面との間の摩擦係数よりも小さくなるように、前記搬送されるロッド様要素（Ｓ１、Ｓ２）の前記外側被覆が作製される材料に応じて選択される材料で作製されるという点で特徴付けられる、搬送ユニット。
【請求項５】
最後の前記搬送用ホイール（１１）が、小さくした直径を有するという点で特徴付けられる、請求項４に記載の装置。
【誤訳訂正２】
【訂正対象書類名】明細書
【訂正対象項目名】００２２
【訂正方法】変更
【訂正の内容】
【００２２】
図４に示す通り、要素Ｓ１、Ｓ２は領域Ａでフィーダー２からホイール９上へ移載されるが、ここで、領域Ａは搬送ユニット１の入口を構成する。領域Ｂでは、要素Ｓ１、Ｓ２は、ホイール９からホイール１０へと移載され、それぞれ領域Ｃで要素はホイール１０からホイール１１へと移載され、領域Ｄでホイール１１からフォーマッティングコンベヤー５上へと移載されるが、ここで、領域Ｄは搬送ユニットの出口を構成する。回転軸Ｘの周りを回転するホイール９には、厚さがフィーダー２上の要素Ｓ１およびＳ２の間の距離ｄよりも小さい、周辺に配置された突起１２が提供されている。さらに、周辺表面９Ａ上の隣接する突起１２間のノッチ１３内を搬送される１つの要素グループ内の要素Ｓ１、Ｓ２は互いに接触しうる。回転軸Ｙの周りを回転するホイール１０の周辺表面１０Ａにある突起１４は、ホイール９の突起１２に近い厚さを持ち、同様にホイール１０のノッチ１５もノッチ１３に近い長さを持つ。回転軸Ｚの周りを回転するホイール１１は、何らの突起も有しないなめらかな周辺表面１１Ａを持つ。領域ＣとＤの間の経路で、連続的ロッド様要素Ｓ１、Ｓ２の間の軸方向の間隔は次第に減少し、またフォーマッティングコンベヤー５のベルトの速度に近くなるかまたはその速度と等しくなるように、要素の速度は減速する。連続的要素グループＳ１、Ｓ２の間の距離ｄ１は減少するか、または完全に除去される。一般的に、ロッド様要素Ｓ１、Ｓ２は、入口で送達されたよりも狭い間隔で搬送ユニット１の出口から移載される。出口から移載された後、ロッド様要素Ｓ２、ＳＴ２は、フォーマッティングコンベヤー５のベルト上の列ＳＴ２および包装材料７内にさらに移動する。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
式：
【化１】
2020530023.tif 000001
［式中、
ＸがＣＨ２ＣＨ２、ＣＨ２ＣＨ２ＣＨ２、ＯＣＨ２、またはＣＨ２Ｏであり、
Ｒがエチル、ｎ−プロピル、シクロプロピル、またはシクロブチルであり、
ただし、ＸがＣＨ２ＣＨ２であるとき、Ｒがシクロプロピル以外である］
の化合物またはその薬学的に許容される塩。
【請求項２】
ＸがＯＣＨ２である、請求項１に記載の化合物または塩。
【請求項３】
ＸがＣＨ２Ｏである、請求項１に記載の化合物または塩。
【請求項４】
Ｒがシクロプロピルである、請求項１に記載の化合物または塩。
【請求項５】
Ｒがｎ−プロピルである、請求項１に記載の化合物または塩。
【請求項６】
式：
【化２】
2020530023.tif 000002
である、請求項１に記載の化合物または塩。
【請求項７】
式：
【化３】
2020530023.tif 000003
である、請求項６に記載の化合物。
【請求項８】
式：
【化４】
2020530023.tif 000004
である、請求項１に記載の化合物または塩。
【請求項９】
式：
【化５】
2020530023.tif 000005
である、請求項８に記載の化合物。
【請求項１０】
患者における慢性腎疾患を治療するための薬学的組成物であって、請求項１〜９のいずれか１項に記載の化合物またはその薬学的に許容される塩を含む、薬学的組成物。
【請求項１１】
患者における糖尿病性腎疾患を治療するための薬学的組成物であって、請求項１〜９のいずれか１項に記載の化合物またはその薬学的に許容される塩を含む、薬学的組成物。
【請求項１２】
療法において使用するための、請求項１〜９のいずれか１項に記載の化合物またはその薬学的に許容される塩。
【請求項１３】
慢性腎疾患の治療に使用するための、請求項１〜９のいずれか１項に記載の化合物またはその薬学的に許容される塩。
【請求項１４】
糖尿病性腎疾患の治療に使用するための、請求項１〜９のいずれか１項に記載の化合物またはその薬学的に許容される塩。
【請求項１５】
請求項１〜９のいずれか１項に記載の化合物またはその薬学的に許容される塩を、１つ以上の薬学的に許容される担体、希釈剤、または賦形剤とともに含む、薬学的組成物。
【請求項１６】
請求項１〜９のいずれか１項に記載の化合物またはその薬学的に許容される塩を、１つ以上の薬学的に許容される担体、希釈剤、または賦形剤と混合することを含む、薬学的組成物を調製するためのプロセス。
【手続補正２】
【補正対象書類名】明細書
【補正対象項目名】０２３３
【補正方法】変更
【補正の内容】
【０２３３】
表１、２、および３のデータは、実施例１〜８の化合物が、インビトロでヒトＰＤＥ３Ａ、ＰＤＥ４Ｄ、およびＰＤＥ６ＡＢと比較して、ヒトＰＤＥ１Ａ、ＰＤＥ１Ｂ、およびＰＤＥ１Ｃの選択的阻害剤であることを実証している。
本発明は以下の態様を含みうる。
［１］式：
【化５９−１】
2020530023.tif 000006
［式中、
ＸがＣＨ２ＣＨ２、ＣＨ２ＣＨ２ＣＨ２、ＯＣＨ２またはＣＨ２Ｏであり、
Ｒがエチル、ｎ−プロピル、シクロプロピル、またはシクロブチルであり、
ただし、ＸがＣＨ２ＣＨ２のとき、Ｒがシクロプロピル以外である］
の化合物またはその薬学的に許容される塩。
［２］ＸがＯＣＨ２である、上記［１］に記載の化合物または塩。
［３］ＸがＣＨ２Ｏである、上記［１］に記載の化合物または塩。
［４］Ｒがシクロプロピルである、上記［１］に記載の化合物または塩。
［５］Ｒがｎ−プロピルである、上記［１］に記載の化合物または塩。
［６］式：
【化５９−２】
2020530023.tif 000007
である、上記［１］に記載の化合物または塩。
［７］式：
【化５９−３】
2020530023.tif 000008
である、上記［６］に記載の化合物。
［８］式：
【化５９−４】
2020530023.tif 000009
である、上記［１］に記載の化合物または塩。
［９］式：
【化５９−５】
2020530023.tif 000010
である、上記［８］に記載の化合物。
［１０］患者における慢性腎疾患を治療する方法であって、それを必要とする患者に、有効量の、上記［１］〜［９］のいずれか１項に記載の化合物またはその薬学的に許容される塩を投与することを含む、方法。
［１１］患者における糖尿病性腎疾患を治療する方法であって、それを必要とする患者に、有効量の、上記［１］〜［９］のいずれか１項に記載の化合物またはその薬学的に許容される塩を投与することを含む、方法。
［１２］療法において使用するための、上記［１］〜［９］のいずれか１項に記載の化合物またはその薬学的に許容される塩。
［１３］慢性腎疾患の治療に使用するための、上記［１］〜［９］のいずれか１項に記載の化合物またはその薬学的に許容される塩。
［１４］糖尿病性腎疾患の治療に使用するための、上記［１］〜［９］のいずれか１項に記載の化合物またはその薬学的に許容される塩。
［１５］上記［１］〜［９］のいずれか１項に記載の化合物またはその薬学的に許容される塩を、１つ以上の薬学的に許容される担体、希釈剤、または賦形剤とともに含む、薬学的組成物。
［１６］上記［１］〜［９］のいずれか１項に記載の化合物またはその薬学的に許容される塩を、１つ以上の薬学的に許容される担体、希釈剤、または賦形剤と混合することを含む、薬学的組成物を調製するためのプロセス。
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
無線通信システムにおける物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信する方法であって、端末によって行われるものであり、
アップリンク−ダウンリンクの設定（ＵＬ−ＤＬ  ｃｏｎｆｉｇｕｒａｔｉｏｎ）に対する第１情報を含む上位層の信号を基地局から受信する段階と、
前記第１情報に基づいて、前記基地局から第１のＴＢ（Ｔｒａｎｓｐｏｒｔ  Ｂｌｏｃｋ）をＰＤＳＣＨを介して繰り返して受信する段階と、
前記アップリンク−ダウンリンクの設定に対する第２情報を含む第１制御チャネルを前記基地局から受信する段階と、
送信時間単位で第２のＴＢのＰＤＳＣＨの繰り返しをスケジューリングする第２制御チャネル、前記送信時間単位をアップリンクに指示する第１情報、及び前記送信時間単位をダウンリンクに指示する第２情報に基づいて前記第２制御チャネルを捨てる（ｄｉｓｃａｒｄ）段階とを含んでなる、方法。
【請求項２】
前記送信時間単位は、サブフレーム又はスペシャルサブフレームである、請求項１に記載の方法。
【請求項３】
前記上位層の信号は、ｅＩＭＴＡ（ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ）動作の設定に対する情報をさらに含む、請求項１に記載の方法。
【請求項４】
前記第１制御チャネルは、ｅＩＭＴＡ−ＲＮＴＩ（Ｒａｄｉｏ  Ｎｅｔｗｏｒｋ  Ｔｅｍｐｏｒａｒｙ  Ｉｄｅｎｔｉｆｉｅｒ）によってＣＲＣスクランブリングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）である、請求項１に記載の方法。
【請求項５】
無線通信システムにおける物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信する端末であって、
無線信号を送受信するための送受信部と、
前記送受信部と機能的に連結されているプロセッサとを備え、
前記プロセッサは、
アップリンク−ダウンリンクの設定（ＵＬ−ＤＬ  ｃｏｎｆｉｇｕｒａｔｉｏｎ）に対する第１情報を含む上位層の信号を基地局から受信し、
前記第１情報に基づいて、前記基地局から第１のＴＢ（Ｔｒａｎｓｐｏｒｔ  Ｂｌｏｃｋ）をＰＤＳＣＨを介して繰り返して受信し、
前記アップリンク−ダウンリンクの設定に対する第２情報を含む第１制御チャネルを前記基地局から受信し、
送信時間単位で第２のＴＢのＰＤＳＣＨの繰り返しをスケジューリングする第２制御チャネル、前記送信時間単位をアップリンクに指示する第１情報、及び前記送信時間単位をダウンリンクに指示する第２情報に基づいて前記第２制御チャネルを捨てる（ｄｉｓｃａｒｄ）ように制御する、端末。
【請求項６】
前記送信時間単位は、サブフレーム又はスペシャルサブフレームである、請求項５に記載の端末。
【請求項７】
前記上位層の信号は、ｅＩＭＴＡ（ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ）動作（ｏｐｅｒａｔｉｏｎ）の設定に対する情報をさらに含む、請求項５に記載の端末。
【請求項８】
前記第１制御チャネルは、ｅＩＭＴＡ−ＲＮＴＩ（Ｒａｄｉｏ  Ｎｅｔｗｏｒｋ  Ｔｅｍｐｏｒａｒｙ  Ｉｄｅｎｔｉｆｉｅｒ）によってＣＲＣスクランブリングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）である、請求項５に記載の端末。
【請求項９】
無線通信システムにおける物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を送信する基地局であって、
無線信号を送受信するための送受信部と、
前記送受信部と機能的に連結されているプロセッサとを含み、
前記プロセッサは、アップリンク−ダウンリンクの設定（ＵＬ−ＤＬ  ｃｏｎｆｉｇｕｒａｔｉｏｎ）に対する第１情報を含む上位層の信号を端末に送信し、
前記端末に第１のＴＢ（Ｔｒａｎｓｐｏｒｔ  Ｂｌｏｃｋ）をＰＤＳＣＨを介して繰り返して受信し、
前記アップリンク−ダウンリンクの設定に対する第２情報を含む第１制御チャネルを前記端末に送信するように制御し、
第２制御チャネルは、送信時間単位で第２のＴＢのＰＤＳＣＨの繰り返しをスケジューリングする第２制御チャネル、前記送信時間単位をアップリンクに指示する第１情報、及び前記送信時間単位をダウンリンクに指示する第２情報に基づいて捨てる（ｄｉｓｃａｒｄ）、基地局。
【請求項１０】
前記送信時間単位は、サブフレーム又はスペシャルサブフレームである、請求項９に記載の基地局。
【請求項１１】
前記上位層の信号は、ｅＩＭＴＡ（ｅｎｈａｎｃｅｄ  Ｉｎｔｅｒｆｅｒｅｎｃｅ  Ｍｉｔｉｇａｔｉｏｎ  ａｎｄ  Ｔｒａｆｆｉｃ  Ａｄａｐｔａｔｉｏｎ）動作（ｏｐｅｒａｔｉｏｎ）の設定に対する情報をさらに含む、請求項９に記載の基地局。
【請求項１２】
前記第１制御チャネルは、ｅＩＭＴＡ−ＲＮＴＩ（Ｒａｄｉｏ  Ｎｅｔｗｏｒｋ  Ｔｅｍｐｏｒａｒｙ  Ｉｄｅｎｔｉｆｉｅｒ）によってＣＲＣスクランブリングされた物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）である、請求項９に記載の基地局。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
病原性一塩基多型(SNP)を特定するコンピュータ実装方法であって、
畳み込みニューラルネットワーク(CNN)のアンサンブルを使用してサイクル内でラベリングされていないSNPを処理するステップであって、前記サイクルは、第1の段階と第2の段階とを含み、
前記ラベリングされていないSNPは、良性とラベリングされておらず、予測されるエリート病原性SNPに付加されていない組合せで生成されたSNPバリアントを含む、ステップと、
サイクルの前記第1の段階において処理するステップであって、
予測されるエリート病原性SNPがもしあればそれと組み合わせて使用するために、前記ラベリングされていないSNPから前記アンサンブル内でCNN毎に別々の疑似病原性訓練例を選択するステップと、
前記選択された疑似病原性訓練例および前記予測されるエリート病原性SNPがもしあればそれとバランスをとって、SNPの一般的な良性訓練例を使用してCNNの前記アンサンブルを訓練し、それによって前記アンサンブル内の前記CNNのパラメータを更新するステップと
を含む、ステップと、
前記サイクルの前記第2の段階において処理するステップであって、
CNNの前記アンサンブルに前記更新されたパラメータを適用して前記第1の段階に関わっていないラベリングされていないSNPに対する病原性スコアを生成するステップと、
前記病原性スコアを使用して異常値SNPを特定するステップと、
前記異常値SNPを前記予測されるエリート病原性SNP内に累積するステップと
を含む、ステップと、
第1のサイクル内で前記第1の段階および第2の段階の処理を実行するステップであって、
予測されるエリート病原性SNPなしで開始するステップと、
前記第2の段階の処理で前記予測されるエリート病原性SNPとして累積された前記特定された異常値SNPで終了するステップと
を含む。ステップと、
第2およびそれ以降のサイクル内で前記第1の段階および第2の段階の処理を繰り返すステップであって、
前のサイクルの前記第2の段階の処理において異常値として特定された前記予測されるエリート病原性SNPで開始するステップと、
前記予測されるエリート病原性SNPで累積された追加の特定された異常値SNPで終了するステップと
を含む、ステップと、
最後のサイクルまで前記サイクルを繰り返すステップであって、その後、前記第2の段階の処理において累積された前記予測されるエリート病原性SNPの数は、前記一般的な良性訓練例におけるヌクレオチドの数の所定の範囲内である、ステップと
を含む、コンピュータ実装方法。
【請求項２】
CNNの前記アンサンブルは各々、深層畳み込みニューラルネットワーク(略してDCNN)である、請求項1に記載のコンピュータ実装方法。
【請求項３】
前記アンサンブルは4から16個のDCNNを含む、請求項2に記載のコンピュータ実装方法。
【請求項４】
前記サイクルにおいてエポック内でDCNNの前記アンサンブルを訓練するステップをさらに含む、請求項2または3に記載のコンピュータ実装方法。
【請求項５】
前記スコアを使用して、DCNNの前記アンサンブルからスコアを合計することによって現在のサイクルの異常値SNPを選択するステップをさらに含む、請求項2から4のいずれか一項に記載のコンピュータ実装方法。
【請求項６】
前記スコアを使用して、DCNNの前記アンサンブルによってスコアリングされた前記SNPの各々に対する最大平均値をとることによって現在のサイクルの異常値SNPを選択するステップをさらに含む、請求項2から5のいずれか一項に記載のコンピュータ実装方法。
【請求項７】
現在のサイクルの間の置換を伴わないサンプリングは、前記現在のサイクルの間の疑似病原性SNPの互いに素の別々の訓練セットをもたらす、請求項1から6のいずれか一項に記載のコンピュータ実装方法。
【請求項８】
前記最後のサイクルは、所定の数のサイクルである、請求項1から7のいずれか一項に記載のコンピュータ実装方法。
【請求項９】
前記パラメータは、少なくとも畳み込みフィルタ重みおよび学習率である、請求項1から8のいずれか一項に記載のコンピュータ実装方法。
【請求項１０】
病原性分類器として使用するために前記CNNの前記アンサンブルの中で前記CNNのうちの1つを選択するステップをさらに含む、請求項1から9のいずれか一項に記載のコンピュータ実装方法。
【請求項１１】
前記選択されるCNNは、妥当性確認サンプルについて前記アンサンブルの中の他のCNNより予測が優れている、請求項10に記載のコンピュータ実装方法。
【請求項１２】
複数の前記サイクルにわたって完成する共通のエリートセットは、少なくとも400000個の予測されるエリート病原性SNPを有する、請求項1から11のいずれか一項に記載のコンピュータ実装方法。
【請求項１３】
各サイクルにおいて、前記予測されるエリート病原性SNPにおける変異率バイアスを防ぐために、良性SNPとサンプリングされた疑似病原性SNPとの間でトリヌクレオチドコンテクストを照合するステップをさらに含む、請求項1から12のいずれか一項に記載のコンピュータ実装方法。
【請求項１４】
前記合成セットからの疑似病原性SNPのサンプリングは、各々の連続するサイクルにおいて5%ずつ減少する、請求項1から13のいずれか一項に記載のコンピュータ実装方法。
【請求項１５】
メモリに結合される1つまたは複数のプロセッサを備えるシステムであって、前記メモリは病原性一塩基多型(SNP)を特定する請求項１から１４のいずれか一項に記載のコンピュータ実装方法に対するコンピュータ命令がロードされているシステム。
【請求項１６】
病原性一塩基多型(SNP)を特定するコンピュータ実装方法に対するコンピュータプログラム命令が格納された非一時的コンピュータ可読記憶媒体であって、
前記コンピュータプログラム命令は、プロセッサで実行されたときに、請求項１から１４のいずれか一項に記載のコンピュータ実装方法を実行する、非一時的コンピュータ可読記憶媒体。